(57)【要約】【課題】電線の絶縁カバーを容易に着脱可能にする。【解決手段】（ａ）は、カバー１を配電線Ｌに装着する前の状態を示す。弾性変形可能な筒状部１１の弾性力に抗して、第１留め具１５及び第２留め具１６の、鉤状の先端同士を係合させることにより、端部１３ａと、１３ｂとが離間するため、配電線Ｌをカバー１内に挿入することが容易になる。（ｂ）は、カバー１を配電線Ｌに装着した状態を示す。カバー１内面の粘着部１８が配電線Ｌの上部に固着することにより、人の力が作用しなければ、カバー１は配電線Ｌから外れなくなる。（ｃ）は、カバー１を配電線Ｌに沿って移動させる際の状態を示す。カバー１内面の粘着部１８を配電線Ｌの上部から離すことにより、カバー１をずらすことができる。カバー１を押し上げて、配電線Ｌが当たることにより、筒状部１１の弾性力に抗して、端部１３ａと、１３ｂとが離間するため、カバー１を配電線Ｌから取り外すことができる。【選択図】図２
2013158199.tif 000002
【特許請求の範囲】
【請求項１】
電線に着脱される絶縁カバーであって、
電線を囲む枠部と、
前記枠部に設けられる開閉部と、
前記枠部の内面に設けられ、前記開閉部から前記枠部の内部へ通り抜けた電線に粘着する粘着部と、
を備え、
前記開閉部は、
通常は閉じており、前記電線が押し当てられたときに作用する力により弾性的に開き、前記電線が通り抜けた後に弾性力により閉じる
ことを特徴とする絶縁カバー。
【請求項２】
請求項１に記載の絶縁カバーであって、
前記開閉部を開いた状態に保持し、前記電線が前記開閉部を内部へ通り抜けた後に、当該状態を解除する留め具
をさらに備えることを特徴とする絶縁カバー。
【請求項３】
請求項２に記載の絶縁カバーであって、
前記留め具は、前記状態を解除した後に、前記枠部の内面に添着される
ことを特徴とする絶縁カバー。
【請求項４】
請求項１に記載の絶縁カバーであって、
前記開閉部は、２枚の板バネに対の扉状に設けられる
ことを特徴とする絶縁カバー。
【請求項５】
請求項１に記載の絶縁カバーであって、
前記開閉部は、対として前記枠部の両側に一体化される
ことを特徴とする絶縁カバー。
【発明の詳細な説明】
【技術分野】
【０００１】
本発明は、電線に取り付ける絶縁カバーに関する。
【背景技術】
【０００２】
従来、配電線の工事の際には、配電線に対する絶縁カバーの取り付けや取り外しの作業が頻繁に行われる。そして、その作業のときに絶縁カバーの口が開いてしまうことに対して、多くの対策方法が提案されている。
【０００３】
例えば、特許文献１には、架空配電線用絶縁カバー、及びその取付け方法として、弾性状ヒンジを介して開閉自在に連結される一端部と、凹凸の係着部材を介して係着自在とされる他端部とを有する両側一対のカバー部材を、間接活線把持工具の把持片内側に略半開状に仮止めした後、当該把持片により係着部材を係着させて、当該カバー部材を架空配電線に取り付けることが開示されている。
【０００４】
次に、特許文献２には、電線補修用カバー、及びその取付け方法として、凹凸の係着部材と、外周面に突設された可撓性保持環とを有する両側カバー部材を、当該保持環により間接活線把持工具の把持片に各々外嵌状に保持しつつ、当該両側カバー部材を架空配電線に取り付けることが開示されている。
【０００５】
また、特許文献３には、配電線用絶縁カバーとして、クランプカバー部、碍子カバー部及び２つの電線カバー部を備えた雌枠及び雄枠からなり、雌枠の一端側と雄枠の中間部に、開閉操作時に絶縁操作棒等でクランプするための操作板を設けたカバーが開示されている。
【先行技術文献】
【特許文献】
【０００６】
【特許文献１】特許第３２９０４０１号公報
【特許文献２】特許第４２７２９１４号公報
【特許文献３】実用新案登録２５５４８４６号公報
【発明の概要】
【発明が解決しようとする課題】
【０００７】
特許文献１〜３に開示された技術により、カバーの口が開くことは防止できるようになったが、カバーの取り外しや付け替えに多くの時間及び労力を要する。また、カバーの取り付けや取り外しを行う際に、カバー専用の工具が必要になる。
【０００８】
本発明は、上記課題を鑑みてなされたものであり、その主たる目的は、電線の絶縁カバーを容易に着脱可能にすることにある。
【課題を解決するための手段】
【０００９】
上記課題を解決するために、本発明は、電線に着脱される絶縁カバーであって、電線を囲む枠部と、前記枠部に設けられる開閉部と、前記枠部の内面に設けられ、前記開閉部から前記枠部の内部へ通り抜けた電線に粘着する粘着部と、を備え、前記開閉部が、通常は閉じており、前記電線が押し当てられたときに作用する力により弾性的に開き、前記電線が通り抜けた後に弾性力により閉じることを特徴とする。  
この構成によれば、人の力を用いることにより、電線を、絶縁カバーの開閉部の間から枠部の内側へ通すとともに、枠部から外すことができる。そして、人の力を用いることにより、電線を絶縁カバーの粘着部に固定するとともに、取り外すことができる。逆に、人の力が作用しなれば、一旦枠部の内側に入った電線が外れたり、一旦粘着部に固定された電線が離れたりすることはなく、絶縁カバーが電線に装着された状態が継続し、絶縁カバーの位置ずれを防止することができる。また、開閉部及び枠部は電線を囲むものであり、電線に密着するわけではないので、電線から粘着部を離した状態で、電線に沿って絶縁カバーを移動させることができる。なお、電線に粘着部が固定された状態で、粘着力に抗して、電線の架設方向に力を加えることにより、絶縁カバーをずらしてよい。これによれば、電線の絶縁カバーを容易に着脱し、移動することができる。
【００１０】
また、本発明の上記絶縁カバーにおいて、前記開閉部を開いた状態に保持し、前記電線が前記開閉部を内部へ通り抜けた後に、当該状態を解除する留め具をさらに備えることとしてもよい。  
この構成によれば、留め具により予め絶縁カバーの開閉部を開いておくことができる。これによれば、絶縁カバーを電線に装着する際に、弾性力に抗する必要がないので、小さい力で手操作ができる。
【００１１】
また、本発明の上記絶縁カバーにおいて、前記留め具は、前記状態を解除した後に、前記枠部の内面に添着されることとしてもよい。  
この構成によれば、絶縁カバーを電線から取り外す際に、留め具が、外側へ通り抜ける電線の妨げにならないようにすることができる。
【００１２】
また、本発明の上記絶縁カバーにおいて、前記開閉部は、２枚の板バネに対の扉状に設けられることとしてもよい。  
この構成によれば、開閉部が２枚の板バネに設けられるので、電線に絶縁カバーを着脱する際に、弾性力が減少するため、小さい力で手操作ができる。
【００１３】
また、本発明の上記絶縁カバーにおいて、前記開閉部は、対として前記枠部の両側に一体化されることとしてもよい。  
この構成によれば、開閉部が枠部に一体的に成形されるので、絶縁カバーの構造が簡単になり、かつ、その強度が大きくなる。
【００１４】
その他、本願が開示する課題及びその解決方法は、発明を実施するための形態の欄、及び図面により明らかにされる。
【発明の効果】
【００１５】
本発明によれば、電線の絶縁カバーが容易に着脱可能になる。
【図面の簡単な説明】
【００１６】
【図１】ストッパー式の絶縁カバーの構造を示す図であり、（ａ）はカバー１を開いた状態を示し、（ｂ）はカバー１の断面図を示す。
【図２】カバー１を配電線Ｌに装着し、移動させる様子を示す図であり、（ａ）はカバー１を配電線Ｌに装着する前の状態を示し、（ｂ）は、カバー１を配電線Ｌに装着した状態を示し、（ｃ）はカバー１を配電線Ｌに沿って移動させる際の状態を示す。
【図３】カバー１を配電線Ｌに装着した状態から、カバー１を配電線Ｌに沿って移動させる方法を示す図であり、（ａ）はカバー１の粘着部１８を配電線Ｌから外した後に移動させる方法を示し、（ｂ）はカバー１をそのまま移動させる方法を示す。
【図４】バネ式の絶縁カバーの構造を示す図であり、（ａ）はカバー２を開いた状態を示し、（ｂ）はカバー２の断面図を示す。
【図５】カバー２を配電線Ｌに装着する際の様子を示す図であり、（ａ）はカバー２を配電線Ｌに装着する前の状態を示し、（ｂ）はカバー２を配電線Ｌに装着する途中の状態を示し、（ｃ）はカバー２を配電線Ｌに装着した状態を示す。
【図６】ストッパーなしの絶縁カバーの構造を示す図であり、（ａ）はカバー３の断面図を示し、（ｂ）はカバー３を配電線Ｌに装着する途中の状態を示す。
【発明を実施するための形態】
【００１７】
以下、図面を参照しながら、本発明を実施するための形態を説明する。本発明の実施の形態に係る電線用の絶縁カバーは、電線を囲む枠の部分と、その部分につながる開閉部分とを有し、その開閉部分を電線に押し当てることで開き、電線が枠の内部に入ると、弾性力で閉じるように構成するものである。そして、絶縁カバーの内面にガムテープ程度の粘着力のある滑り止めを設けて、枠の内部に入った電線に粘着させる。
【００１８】
これによれば、配電線（高圧線）の工事において、絶縁カバーの取り付け及び取り外しを、専用の工具を用いることなく、人の力により容易に行うことができる。また、絶縁カバーの位置ずれを防止することができるとともに、人の力により容易にずらすことができる。
【００１９】
≪第１の実施の形態≫
図１は、ストッパー式の絶縁カバーの構造を示す図である。図１（ａ）はカバー１を中心から開いた状態を示し、図１（ｂ）はカバー１の断面図を示す。カバー１は、ストッパー式の絶縁カバーであり、材質は高電圧（例えば、６６００Ｖ）に耐えられる絶縁体（以下、同様）であり、筒状部１１、対になった板状部１２及び端部１３、操作部１４が一体に形成された構造になっている。
【００２０】
筒状部１１は、円筒の一部分の形状を有し、弾性材料からなるため、湾曲可能であることにより、端部１３を開閉可能とし、配電線Ｌ（図２参照）を内部へ挿入可能とする。板状部１２は、筒状部１１の両端に対の平板として形成される。端部１３は、対の板状部１２のそれぞれに形成される。操作部１４は、端部１３ｂの中央部分に形成され、配電線Ｌにカバー１を着脱する際に、やっとこで把持される部分である。実際には、作業担当者が、やっとこで操作部１４を把持した後、カバー１を装着する際には操作部１４を下方に引張り、カバー１を外す際には操作部１４を上方に押し上げる。
【００２１】
第１留め具１５は、板状部１２ａの内面に固設され、先端が鉤状になっている。第２留め具１６は、板状部１２ｂの内面にヒンジ１７を介して設けられ、ヒンジ１７を中心に回動可能であり、先端が鉤状になっている。第１留め具１５及び第２留め具１６の、鉤状の先端同士を係合させると、端部１３ａと、端部１３ｂとが離間し、配電線Ｌをカバー１に挿入しやすくなる。
【００２２】
粘着部１８は、例えば、ガムテープ程度の粘着力を持った粘着性材料であり、接着剤や粘着シートにより実現され、筒状部１１の中央の内面に設けられる。カバー１内に挿入された配電線Ｌの上部に粘着部１８が粘着する。これによれば、カバー１を、配電線Ｌに固定するとともに、人の力により配電線から引き離すことが可能である。従って、所定値（例えば、平均的な人の力）より小さい力では離れず、所定値以上の力が作用すると外れるように、粘着部１８の粘着力の度合が調整される。
【００２３】
なお、カバー１の内側は、配電線Ｌに装着されたとしても、配電線Ｌに密着するわけではなく、所定の範囲内で上下左右に動くことが可能な空間が確保されるものとする。また、図１（ａ）では、カバー１の板状部１２の中央に第１留め具１５及び第２留め具１６を設けるように示したが、板状部１２の上側と下側に対の留め具をそれぞれ設けるようにしてもよい。
【００２４】
図２は、カバー１を配電線Ｌに装着し、移動させる様子を示す図である。図２（ａ）は、カバー１を配電線Ｌに装着する前の状態を示す。筒状部１１の弾性力に抗して、第１留め具１５及び第２留め具１６の、鉤状の先端同士を係合させることにより、端部１３ａと、端部１３ｂとの間隔が、配電線Ｌの外径より長くなる。これによれば、カバー１を配電線Ｌに装着する際に、筒状部１１の弾性力に抗して上記間隔を空ける必要がないので、小さい力で配電線Ｌをカバー１内に挿入することができる。そして、第２留め具１６を斜めにした状態で第１留め具１５に係合させるので、例えば、図２（ａ）において第２留め具１６を水平にして上記間隔を確保する方法と比較すると、第２留め具１６がより外しやすくなる。なお、第１留め具１５及び第２留め具１６の係合の度合は、筒状部１１の弾性力に逆らって掛合可能であるが、第２留め具１６が配電線Ｌに当たれば、第１留め具１５から外れる程度とする。
【００２５】
図２（ｂ）は、カバー１を配電線Ｌに装着した状態を示す。カバー１内面の粘着部１８が配電線Ｌの上部に粘着することにより、カバー１が配電線Ｌに装着された状態になり、人の力が作用しなければ、カバー１は配電線Ｌから外れない。また、粘着部１８が配電線Ｌから外れたとしても、端部１３ａ及び１３ｂが十分に接近しているので、人の力が作用しなければ、カバー１が配電線Ｌから外れることはない。このとき、第２留め具１６は、板状部１２ｂの内面に添着される。
【００２６】
図２（ｃ）は、カバー１を配電線Ｌに沿って移動させる際の状態を示す。カバー１内面の粘着部１８が配電線Ｌの上部から離れた状態にすることにより、配電線Ｌ上における、カバー１の位置を任意に変更することができる。このとき、図２（ｂ）と同様に、第２留め具１６が板状部１２ｂの内面に添着されている。これによれば、さらにカバー１を押し上げることにより、通り抜ける配電線Ｌを妨害することなく、カバー１を配電線Ｌから取り外すことができる。
【００２７】
図３は、カバー１を配電線Ｌに装着した状態から、カバー１を配電線Ｌに沿って移動させる方法を示す図である。図３（ａ）は、カバー１の粘着部１８を配電線Ｌから外した後、移動させる方法を示す。粘着部１８を配電線Ｌから外すためには、まず、配電線Ｌが比較的重いことを考慮して、やっとこで操作部１４を把持し、カバー１を押し上げることが考えられる。これは、１個のやっとこを使用する方法である。
【００２８】
次に、２個のやっとこを使用する方法が考えられる。詳細には、一方のやっとこでカバー１を固定し、他方のやっとこで配電線Ｌを下に引張る方法、又は、一方のやっとこで配電線Ｌを固定し、他方のやっとこでカバー１を押し上げる方法である。これによれば、例えば、配電線Ｌが比較的軽い場合であっても、確実に粘着部１８を配電線Ｌから外すことができる。
【００２９】
図３（ｂ）は、カバー１をそのまま移動させる方法を示す。図２（ｂ）に示すように、カバー１の粘着部１８が配電線Ｌの上部に固着していたとしても、人の力を及ぼすことにより粘着部１８を配電線Ｌから離すことはできるので、カバー１をずらすために、やっとこを用いて、カバー１を配電線Ｌの架設方向に叩く。すなわち、カバー１に所定値（例えば、平均的な人の力）以上の力を作用させることにより、粘着部１８と配電線Ｌの間の摩擦力に抗して、カバー１を移動させることができる。
【００３０】
≪第２の実施の形態≫
図４は、バネ式の絶縁カバーの構造を示す図である。図４（ａ）はカバー２を中心から開いた状態を示し、図４（ｂ）はカバー２の断面図を示す。カバー２は、バネ式の絶縁カバーであり、材質は絶縁体であり、筒状部２１、対になった板状部２２、操作部２３が一体に形成された構造になっている。筒状部２１は、円筒の半分の形状を有する。板状部２２は、筒状部２１の両端に対の平板として形成される。操作部２３は、板状部２２ｂの中央部分に形成され、配電線Ｌにカバー２を着脱する際に、やっとこにより把持する部分である。
【００３１】
板状部２２ｂ及び２２ａの中央には、それぞれ開閉部２４及び２５が形成される。開閉部２４（２５）は、人の力が作用しなければ閉じたままであり、カバー２を配電線Ｌに着脱する際に、人の力によりカバー２を上下すると、配電線Ｌの外径長まで開くことにより、配電線Ｌの通り抜けを許容する。開閉部２４（２５）は、本体部２４ａ（２５ａ）及び弾性変形部２４ｂ（２５ｂ）からなる。本体部２４ａ（２５ａ）は、開閉する扉状の部分である。弾性変形部２４ｂ（２５ｂ）は、板バネからなり、筒状部２１側の一端は固定され、他端に本体部２４ａ（２５ａ）が設けられる。弾性変形部２４ｂ（２５ｂ）を構成する板バネにより、本体部２４ａ（２５ａ）は、人の力が作用しなければ閉じたままであり、配電線Ｌを上下から押し当てると開く構造になっている。
【００３２】
粘着部２６は、例えば、ガムテープ程度の粘着力を持った粘着性材料であり、接着剤や粘着シートにより実現され、筒状部２１の中央の内面に設けられる。カバー２内に挿入された配電線Ｌの上部に、粘着部２６が粘着する。これによれば、カバー２を、配電線Ｌに固定するとともに、人の力によれば、配電線Ｌから引き離すことが可能である。
【００３３】
なお、カバー２の内側は、配電線Ｌに装着されたとしても、配電線Ｌに密着するわけではなく、所定の範囲内で上下左右に動くことが可能な空間が確保されるものとする。
【００３４】
図５は、カバー２を配電線Ｌに装着する際の様子を示す図である。図５（ａ）は、カバー２を配電線Ｌに装着する前の状態を示す。本体部２４ａ及び２５ａは、閉じた状態になっており、その下方に配電線Ｌが位置している。図５（ｂ）は、カバー２を配電線Ｌに装着する途中の状態を示す。本体部２４ａ及び２５ａは、相対的に下方から配電線Ｌが押し当てられると、板バネの弾性力に抗して、最大で配電線Ｌの外径長まで開くことにより、配電線Ｌの通り抜けを許容する。図５（ｃ）は、カバー２を配電線Ｌに装着した状態を示す。カバー２の粘着部２６が配電線Ｌの上部に粘着することにより、カバー２が配電線Ｌに装着された状態になり、人の力が作用しなければ、カバー２は配電線Ｌから外れない。また、粘着部１８が配電線Ｌから離れたとしても、本体部２４ａ及び２５ａが接しているので、人の力が作用しなければ、カバー２が配電線Ｌから外れることはない。
【００３５】
≪第３の実施の形態≫
図６は、ストッパーなしの絶縁カバーの構造を示す図である。図６（ａ）は、カバー３の断面図を示す。カバー３は、ストッパーなしの絶縁カバーであり、材質は絶縁体であり、弾性変形部３１、対になった板状部３２及び端部３３が一体に形成された構造になっている。弾性変形部３１は、板バネからなる平板の形状を有する。板状部３２は、弾性変形部３１の両端に対の平板として形成される。端部３３は、対の板状部３２のそれぞれに、配電線Ｌが通り抜けやすいように外向きに形成される。
【００３６】
粘着部３４は、例えば、ガムテープ程度の粘着力を持った粘着性材料であり、接着剤や粘着シートにより実現され、弾性変形部３１の中央の内面に設けられる。カバー３内に挿入された配電線Ｌの上部に粘着部３４が粘着する。これによれば、カバー３を、配電線Ｌに固定するとともに、人の力によれば、配電線Ｌから引き離すことが可能である。
【００３７】
なお、カバー３の内側は、配電線Ｌに装着されたとしても、配電線Ｌに密着するわけではなく、所定の範囲内で上下左右に動くことが可能な空間が確保されるものとする。
【００３８】
図６（ｂ）は、カバー３を配電線Ｌに装着する途中の状態を示す。対の端部３３を配電線Ｌに接触させて、弾性変形部３１を配電線Ｌの方向に押すことにより、弾性変形部３１の弾性力に抗して端部３３が広がり、最大で配電線Ｌの外径長まで開くことにより、配電線Ｌの通り抜けを許容する。なお、カバー３を配電線Ｌから取り外す際には、弾性変形部３１を配電線Ｌから離隔する方向に引張ることにより、対になった端部３３の間を、配電線Ｌを通り抜けさせることができる。
【００３９】
≪第４の実施の形態≫
図示しないが、第２の実施の形態と、第３の実施の形態とを組み合わせたものが考えられる。基本的には、図６に示すような、絶縁カバー自体が弾性を有しており、ストッパーのない構造のものであるが、配電線Ｌに装着した際に、配電線Ｌから外れるのを防ぐための強度（例えば、図６（ａ）の端部３３が広がるのに抗する力）が十分でない場合に、板状部３２の両側（配電線Ｌ方向の前側と後側）に、図４に示すような開閉部を補強用に設けるものである。
【００４０】
以上説明した本発明の実施の形態によれば、配電線Ｌに対して、絶縁用のカバーを容易に着脱及び移動可能になる。
【００４１】
詳細には、まず、絶縁やっとこが１本あれば、カバーを配電線Ｌに装着し、配電線Ｌの工事をすることができる。なお、従来のカバーを装着する際には、絶縁やっとこ２本及び共用操作棒に加えて、先端工具としてカバー押さえ器を使って作業をしていた。また、従来の方法では、専用の工具にカバーを装填した後、その工具を用いて、配電線Ｌにカバーを装着していた。
【００４２】
これによれば、配電線Ｌの工事に係る作業時間を大幅に短縮することができる。そして、副次効果として、作業時間が短くなるので、作業者の疲労を軽減するとともに、必要な工具が少なくて済むので、作業空間を容易に確保することができる。以上によれば、作業の安全性向上及びコスト削減を図ることができる。
【００４３】
なお、間接用絶縁カバーについて説明したが、ジャンパースリーブカバー、分岐スリーブカバー、引き下げ線用コネクタカバー等の他のカバーにおいても同等の効果が期待できる。
【００４４】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、対になった開閉部のうち、少なくとも一方が弾性変形部に接続され、他方は必ずしも弾性変形部に接続されていなくてもよい。具体例としては、図４の開閉部２４及び２５のうち、一方は弾性変形部を有することなく、固定されていてもよい。
【００４５】
また、例えば、図２（ｃ）において、第２留め具１６を長くする、又は、ヒンジ１７の位置をカバー１の奥（図の上方）に変えるようにしてもよい。これによれば、第２留め具１６の先端がカバー１の奥（図の配電線Ｌの右側）に位置するので、その先端と、カバー１の左側内面との間に配電線Ｌを挟み込むことにより、粘着部１８がなくても、カバー１を配電線Ｌに固定することができる。
【符号の説明】
【００４６】
１      カバー（絶縁カバー）
１１    筒状部（枠部）
１２    板状部（枠部）
１３    端部（開閉部）
１５    第１留め具（留め具）
１６    第２留め具（留め具）
１８    粘着部
２      カバー（絶縁カバー）
２１    筒状部（枠部）
２２    板状部（枠部）
２４ａ、２５ａ  本体部（開閉部）
２４ｂ、２５ｂ  弾性変形部
２６    粘着部
３      カバー（絶縁カバー）
３１    弾性変形部（枠部）
３２    板状部（枠部）
３３    端部（開閉部）
３４    粘着部
Ｌ      配電線（電線）
【図１】
2013158199.tif 000003
【図２】
2013158199.tif 000004
【図３】
2013158199.tif 000005
【図４】
2013158199.tif 000006
【図５】
2013158199.tif 000007
【図６】
2013158199.tif 000008